(57)【要約】【課題】  電気掃除機を使用中、パイプ継手がテーパー部分から緩んだり又抜け落ちる事が多い。また伸縮パイプの調整もねじの締付等の煩わしさや、部品数が多くなり製造原価が増加する。【解決手段】  雄パイプの外側に凹形溝道（５）を直線道（６）回転道（７）固定道（８）の３方向にもうける。雌パイプ内側に凹形溝道（５）の形状に対応した突起（１３）を設ける。パイプ接続には、突起（１３）を直線道（６）から回転道（７）固定道（８）まで挿入する事により、ロック状態となり脱落は完全に防ぐ事ができる。  伸縮パイプに付帯する部品数は皆無であるため製造原価が大きく低減できる。【選択図】図１
2014180526.tif 000002
【特許請求の範囲】
【請求項１】
パイプを嵌合する場合、雄パイプの外側に凹形溝道（５）を直線道（６）、回転道（７）、固定道（８）と進行方向が３方向に変化する様に設ける。
雌パイプ内側に、凹形溝道（５）に対応した突起（１３）を設けてワンタッチで脱着が可能な抜け止め構造を有するパイプの継手。
【請求項２】
電気掃除機のテーパー嵌合によるパイプの継手において、請求項１の記載の構造を適用したパイプ継手。
【請求項３】
電気掃除機の伸縮パイプにおいて、請求項１の記載の構造で直線道（６）を長くして、回転道（７）、固定道（８）を多数設けた伸縮パイプ。
【請求項４】
請求項３の記載の構造で、伸縮雄パイプ（９）端面に切片（１４）を一体成形で設けた伸縮パイプ。
【発明の詳細な説明】
【技術分野】
【０００１】  この発明は、電気掃除機のテーパー嵌合によるパイプ継手の抜け防止と、電気掃除機の伸縮パイプにも応用できる構造に関するものである。
【背景技術】
【０００２】  電気掃除機において付帯部品を使わずにワンタッチで脱着可能なパイプ継手は、雄パイプ（１）のテーパー（２）と、雌パイプ（３）テーパー（４）をそれぞれ差込、テーパー接触面の密着力による継手構造である。【０００３】  伸縮パイプの長さ調整には、おねじ（１１）とリングナット（１２）で締付固定する構造のものや，又は多くの部品をパイプに付帯させて固定する構造が多い。
【発明の概要】
【発明が解決しようとするための課題】
【０００４】  電気掃除機を使用中に、振動や抜け方向の引張り荷重がかかると雄パイプ（１）と雌パイプ（３）の継手は、テーパー嵌合による密着力が弱まり脱落するため、其の都度手で押し込んで作業を続けなければならない煩わしい課題がある。
【０００５】  伸縮パイプを作業者の身長に合わせるために、リングナット（１１）おねじ（１２）とでする伸縮調整や、作業終了後に掃除機をコンパクトにして収納するため、伸縮パイプの全長を最短にするので、ねじの緩めと締付を繰り返す煩わしさがある。更に部品数が多くなり製造原価が増加する。
【課題を解決するための手段】
【０００６】  テーパー嵌合によるパイプ継手と伸縮パイプにおいて、雄パイプの外側に凹形溝道（５）を、直線道（６）、回転道（７）、固定道（８）と進行方向が３方向に変化する様に設けた。雌パイプ内側に、凹形溝道（５）に対応した突起（１３）を設けた。
【０００７】  伸縮雄パイプ（９）端面に切片（１４）を設けた。
【発明の効果】
【０００８】  テーパー嵌合継手の接続については、雄パイプの固定道（８）で雌パイプの突起（１３）はロックされパイプ継手の脱落は完全に防ぐことができる。
【０００９】  伸縮パイプ長さ調整は、作業者の身長に適したパイプ長さと、掃除機を収納するための伸縮パイプの最短位置決めがワンタッチで簡単にできて脱落も無い。ねじの緩め締付の煩わしさから解放される。部品数は皆無のため製造原価を大きく低減させる効果がある。
【図面の簡単な説明】
【００１０】
【図１】テーパー継手部の斜視図である。
【図２】突起（１３）の断面図である
【図３】凹形溝道（５）の断面図である。
【図４】。テーパー継手部が嵌合してロックされた状態の斜視図である。
【図５】断面図である。
【図６】伸縮パイプの斜視図である。
【図７】伸縮パイプの斜視図である。
【図８】伸縮パイプの斜視図である。
【図９】断面図である。
【図１０】断面図である。
【発明を実施するための形態】
【００１１】  テーパー嵌合によるパイプの接読には、雌パイプ（３）の突起（１３）を直線道（６）回転道（７）固定道（８）の順序に挿入する。回転道（７）は途中から登り坂となり凹形溝道（５）の深さの寸法は、突起（１３）の高さ寸法より弱干少ない寸法「凹形溝道（５）の底が浅くなる」になる。固定道（８）の凹形溝道（５）の深さは、回転道（７）の登り坂以前の深さ寸法に戻る。
直線道（６）から回転道（７）の分岐位置は、雄パイプ（１）テーパー（２）と雌パイプ（３）テーパー（４）との面嵌合が完全に密着した時の雌パイプ（３）の突起（１３）の位置とする。凹形溝道（５）の形状は角形及び半球形の何れでもよい。
取り外しは突起（１３）を逆方向に進める。
【００１２】  伸縮パイプ雄パイプ（９）外側に直線道（６）を長く設ける。作業者の身長に合わせるために必要な回転道（７）と固定道（８）を必要の数だけ設ける。
更に長い直線道（６）の先端にも回転道（７）と固定道（８）を設ける。
伸縮雌パイプ（１０）内側に、雌パイプ（３）と同形状の突起（１３）を設ける。
接読と取り外しはテーパー嵌合と同じである。
【００１３】  伸縮パイプの実用には図７の構造で充分使えるが、より高性能な吸込み効率を要求される場合には、雄パイプ（９）端面に一体成形で切片（１４）を設けてシール性能を向上させる事もできる。
【００１４】  抜け止め構造は図１と図７には１系列で表示してあるが複数の系列にする事も可能である。
【符号の説明】
【００１５】１雄パイプ
２テーパー
３雌パイプ
４テーパー
５凹形溝道
６直線道
７回転道
８固定道
９伸縮雄パイプ
１０伸縮雌パイプ
１１おねじ
１２リングナット
１３突起
１４切片
【図１】
2014180526.tif 000003
【図２】
2014180526.tif 000004
【図３】
2014180526.tif 000005
【図４】
2014180526.tif 000006
【図５】
2014180526.tif 000007
【図６】
2014180526.tif 000008
【図７】
2014180526.tif 000009
【図８】
2014180526.tif 000010
【図９】
2014180526.tif 000011
【図１０】
2014180526.tif 000012
【手続補正書】
【提出日】平成25年12月14日(2013.12.14)
【手続補正１】
【補正対象書類名】特許請求の範囲
【補正対象項目名】全文
【補正方法】変更
【補正の内容】
【特許請求の範囲】
【請求項１】
パイプを嵌合する場合、雄パイプの外側に凹形溝道（５）を直線道（６）、回転道（７）、固定道（８）と進行方向が３方向に変化する様に設け、雌パイプ内側に、凹形溝道（５）に対応した突起（１３）を設けてワンタッチで脱着が可能な抜け止め構造を有するパイプの継手。
【請求項２】
電気掃除機のテーパー嵌合によるパイプの継手において、請求項１の記載の構造を適用したパイプ継手。
【請求項３】
電気掃除機の伸縮パイプにおいて、請求項１の記載の構造で直線道（６）を長くして、回転道（７）、固定道（８）を多数設けた伸縮パイプ。
【請求項４】
請求項３の記載の構造で、伸縮雄パイプ（９）端面に切片（１４）を一体成形で設けた伸縮パイプ。